(57)【要約】【課題】特別な操作をすることなく、通常の発信操作で、相手への安否状態を通知可能とする。【解決手段】基地局３０は、移動機からの発信を受け付ける受付手段３１と、電話回線規制時に、受付手段３１により移動機からの発信を受け付けると、当該移動機に関連する発信履歴３３を検索する検索手段３２と、該検索手段３２により当該移動機に関連する発信履歴３３に、当該移動機に対する発信記録が検出された場合に、当該移動機、及び当該移動機に対して発信した他の移動機に対して、発信があったことを通知する通知手段３４とを備えている。【選択図】図１０
2013247499.tif 000002
【特許請求の範囲】
【請求項１】
移動機からの発信を受け付ける受付手段と、
電話回線規制時に、前記受付手段により前記移動機からの発信を受け付けると、前記移動機に関連する発信履歴を検索する検索手段と、
前記検索手段により前記移動機に関連する発信履歴に、前記移動機に対する発信記録が検出された場合に、前記移動機、及び前記移動機に対して発信した他の移動機に対して、発信があったことを通知する通知手段と
を備えることを特徴とする基地局。
【請求項２】
前記検索手段は、
前記受付手段により前記移動機からの発信を受け付けると、前記移動機に関連する発信履歴として、発信先の移動機の発信履歴を検索し、
前記通知手段は、
前記検索手段により前記発信先の移動機の発信履歴に、前記移動機に対する発信記録が検出された場合に、前記移動機、及び前記発信先の移動機の双方に、発信があったことを通知する
ことを特徴とする請求項１に記載の基地局。
【請求項３】
前記検索手段は、
前記受付手段により前記移動機からの発信を受け付けると、前記移動機に関連する発信履歴として、前記移動機に対する発信履歴を検索し、
前記通知手段は、
前記検索手段により前記移動機に対する発信履歴に、前記移動機に対する発信記録が検出された場合に、前記移動機、及び前記移動機に対して発信した全ての移動機に対して、発信があったことを通知する
ことを特徴とする請求項１に記載の基地局。
【請求項４】
前記検索手段により前記移動機に関連する発信履歴に、前記移動機に対する発信記録が検出されなかった場合に、前記移動機から発信先の移動機に対して発信があったことを、前記移動機に関連する発信履歴として保存する発信履歴保存手段を更に備えることを特徴とする請求項１に記載の基地局。
【請求項５】
前記通知手段は、
発信があったことを通知する前記移動機に対して、相手の移動機の位置情報を含めて通知することを特徴とする請求項１から４のいずれかに記載の基地局。
【請求項６】
移動機からの発信を受け付けるステップと、
電話回線規制時に、前記移動機からの発信を受け付けると、前記移動機に関連する発信履歴を検索するステップと、
前記移動機に関連する発信履歴に、前記移動機に対する発信記録が検出された場合に、前記移動機、及び前記移動機に対して発信した他の移動機に対して発信があったことを通知するステップと
を含むことを特徴とする安否確認方法。
【請求項７】
コンピュータに、
移動機からの発信を受け付ける受付機能、
電話回線規制時に、前記受付機能により前記移動機からの発信を受け付けると、前記移動機に関連する発信履歴を検索する検索機能、
前記検索機能により前記移動機に関連する発信履歴に、前記移動機に対する発信記録が検出された場合に、前記移動機、及び前記移動機に対して発信した他の移動機に対して、発信があったことを通知する通知機能
を実行させることを特徴とするプログラム。
【発明の詳細な説明】
【技術分野】
【０００１】
本発明は、基地局、安否確認方法、及びプログラムに関する。
【背景技術】
【０００２】
災害発生下では、アクセスの集中によって通信網に規制がかかったり、電話の発信が集中するために回線が輻輳を起こしたりして、特に電話がつながりにくく通話ができない状況が顕著になる。そのため、いち早く相手の安否を確認したくても、電話がつながらないため、不安なまま過ごすことが多くなる。
【０００３】
一方、災害を受けた側も同様で、多くの人に連絡を取りたくても連絡が取れない課題があった。また、災害伝言版にメッセージを登録するシステムもあるが、互いが見に行かないと確実な連絡がとれない。
【０００４】
例えば、特許文献１では、災害が発生すると、被災地域内の携帯電話機による通信を抑止し、安否確認メッセージを送信し、これに対する被災地域内にある携帯電話機からの応答メッセージを記録し、被災地域外からの安否確認に対して、記録した応答メッセージを送信するという技術が提案されている。
【０００５】
また、特許文献２では、安否情報提供装置が、災害発生時、災害発生地域に位置する携帯電話に対して呼び出し信号を出力し、携帯電話から呼び出し信号に対する接続応答を取得し、安否問い合わせがあったときにその位置情報を出力するという技術が提案されている。
【０００６】
また、特許文献３では、ユーザによる携帯型端末装置の操作に応じて、ＢＣＭＣＳ
（Ｂｒｏａｄｃａｓｔ Ｍｕｌｔｉｃａｓｔ Ｓｅｒｖｉｃｅ）フローレジストレーションメッセージを用いて、災害情報受信要求を送信することにより、携帯型端末装置の電話番号を、他の多数のユーザから確認できるように、安否情報蓄積サーバに自動的に格納するという技術が提案されている。
【０００７】
また、特許文献４では、被災地域にいる被災者がその相手方と行った通信履歴を被災者通信履歴サーバに記憶しておき、この被災者に対して連絡を取ろうとする発信者がいた場合には、この通信履歴を発信者に通知することによって、発信者に被災者の無事を知らしめるという技術が提案されている。
【０００８】
また、特許文献５では、緊急地震速報により所定震度以上の地震の発生が報知された場合に、地震の主要動がユーザの生活エリアに到達する前に当該ユーザの存在の有無を確認して、被災時のユーザの安否確認を効率良く的確に行うという技術が提案されている。
【０００９】
また、特許文献６では、緊急通報（ブロードキャストＳＭＳ）を受信すると、受信した緊急通報から特定される時刻情報を抽出し、特定された時刻になった場合、表示部に安否確認メッセージを表示するとともに、安否確認メッセージの表示後に応答入力がなかった場合、強制的に省電力モードでの電力制御を行うという技術が提案されている。
【００１０】
また、特許文献７では、緊急災害情報を受信すると、携帯端末が予め定められたサーバに対して、緊急災害情報の受信時の位置を自動送信し、サーバは、携帯端末から受信した位置情報を携帯端末毎に保持し、他の端末から照会を受けると、サーバは、照会を受けた携帯端末の位置情報を応答するという技術が提案されている。
【先行技術文献】
【特許文献】
【００１１】
【特許文献１】特開２００１−１６８９９０号公報
【特許文献２】特開２００６−３１９７６８号公報
【特許文献３】特開２００７−１２４４１３号公報
【特許文献４】特開２００７−１６６２７５号公報
【特許文献５】特開２００８−２３４４８８号公報
【特許文献６】特開２００９−０８９０９１号公報
【特許文献７】特開２０１０−１０２６３５号公報
【発明の概要】
【発明が解決しようとする課題】
【００１２】
しかしながら、上述した特許文献１〜７では、いずれの場合も、災害発生下において携帯電話と通信回線網側の装置との間で、安否確認メッセージや呼び出し信号を送受信したり、携帯電話のユーザに特別な操作を行わせたりしなければならず、容易に安否確認することができないという問題があった。
【００１３】
そこで本発明は、特別な操作をすることなく、通常の発信操作で、相手への安否状態を通知することができる基地局、安否確認方法、及びプログラムを提供することを目的とする。
【課題を解決するための手段】
【００１４】
本発明の基地局は、移動機からの発信を受け付ける受付手段と、電話回線規制時に、前記受付手段により前記移動機からの発信を受け付けると、前記移動機に関連する発信履歴を検索する検索手段と、前記検索手段により前記移動機に関連する発信履歴に、前記移動機に対する発信記録が検出された場合に、前記移動機、及び前記移動機に対して発信した他の移動機に対して、発信があったことを通知する通知手段とを備えることを特徴とする基地局である。
【００１５】
本発明の安否確認方法は、移動機からの発信を受け付けるステップと、電話回線規制時に、前記移動機からの発信を受け付けると、前記移動機に関連する発信履歴を検索するステップと、前記移動機に関連する発信履歴に、前記移動機に対する発信記録が検出された場合に、前記移動機、及び前記移動機に対して発信した他の移動機に対して発信があったことを通知するステップとを含むことを特徴とする安否確認方法である。
【００１６】
本発明のプログラムは、コンピュータに、移動機からの発信を受け付ける受付機能、電話回線規制時に、前記受付機能により前記移動機からの発信を受け付けると、前記移動機に関連する発信履歴を検索する検索機能、前記検索機能により前記移動機に関連する発信履歴に、前記移動機に対する発信記録が検出された場合に、前記移動機、及び前記移動機に対して発信した他の移動機に対して、発信があったことを通知する通知機能を実行させることを特徴とするプログラムである。
【発明の効果】
【００１７】
この発明によれば、特別な操作をすることなく、通常の発信操作で、相手への安否状態を通知することができる。
【図面の簡単な説明】
【００１８】
【図１】本発明の第１実施形態による移動機１０の構成を示すブロック図である。
【図２】本第１実施形態による基地局２０の構成を示すブロック図である。
【図３】本第１実施形態において、移動機１０による電話発信時の動作を説明するためのフローチャートである。
【図４】本第１実施形態において、移動機１０の電話発信時における基地局２０の動作を説明するためのフローチャートである。
【図５】本第１実施形態による、基地局２０と移動機１０ａ、１０ｂ、１０ｃとの間での一連の動作を説明するためのシーケンス図である。
【図６】本第１実施形態による基地局２０に保存される発信履歴の一例を示す概念図である。
【図７】本第２実施形態において、移動機１０の電話発信時における基地局２０の動作を説明するためのフローチャートである。
【図８】本第２実施形態による、基地局２０と移動機１０ａ、１０ｂ、１０ｃとの間での一連の動作を説明するためのシーケンス図である。
【図９】本第２実施形態による基地局２０に保存される発信履歴の一例を示す概念図である。
【図１０】付記１の構成を示すブロック図である。
【発明を実施するための形態】
【００１９】
以下、本発明の実施の形態を、図面を参照して説明する。
【００２０】
Ａ．第１実施形態
まず、本発明の第１実施形態について説明する。
図１は、本発明の第１実施形態による移動機１０の構成を示すブロック図である。図において、移動機１０は、基地局との通信をアンテナ１１を介して、送信部１２と受信部１３で行う。送信部１２、受信部１３は、ＣＰＵ１４の制御の下、電話やメッセージのデータを送受信する。ＣＰＵ１４は、表示部１５、入力部１６を通して、電話番号の表示や入力を受けつけ、プログラム格納メモリ１７に予め用意しているプログラムに従って、データ格納メモリ１８に格納されているデータを用いて各種処理を実行する。
【００２１】
表示部１５は、液晶表示器や有機ＥＬ表示器などからなり、各種データを表示する。入力部１６は、各種機能キー、数字キーからなり、電話番号を含む数字や文字、機能指示などを入力する。なお、入力部１６として、表示部１５の画面上に設けられたタッチパネルを備えていてもよい。この場合、各種機能キーや数字キーなどは、画面上のアイコンとタッチパネルとで代替するようにしてもよい。プログラム格納メモリ１７は、ＣＰＵ１４により実行されるプログラムを格納している。データ格納メモリ１８は、本実施形態で用いる自身の電話番号や相手の電話番号などを格納している。なお、プログラム格納メモリ１７、及びデータ格納メモリ１８は、フラッシュメモリ等の書き換え可能な不揮発性メモリであってもよい。
【００２２】
図２は、本第１実施形態による基地局２０の構成を示すブロック図である。移動機１０ａ、１０ｂは、図１で説明したものと同等である。基地局２０は、受信部２３、送信部２４、通信管理部２５、発信履歴管理部２６、契約ユーザ管理部２７、及びメッセージ管理部２８を備えている。受信部２３、及び送信部２４は、移動機１０ａ、１０ｂと通信を行う。通信管理部２５は、受信部２３で受信した移動機からの発信要求情報により、発信元と発信先の接続を行う。この際、発信履歴管理部２６には、発信履歴として、発信元電話番号と発信先電話番号とを紐付けた発信記録が保存される。
【００２３】
通信管理部２５により発信元と発信先との接続ができず通話ができなかったとしても、発信履歴管理部２６には、発信元電話番号と発信先電話番号とを紐付けた発信記録が発信履歴として保存されたままとなる。該発信履歴管理部２６には、移動機からの発信要求一回ごとに上記発信履歴として、発信元電話番号から発信先電話番号に発信があったことを示す発信記録が蓄積される。契約ユーザ管理部２７は、発信履歴管理部２６の発信履歴を検索し、該発信履歴に該当する発信記録があった場合に、メッセージ送出先のアドレスの変換を行い、メッセージ管理部２８に送出する。メッセージ管理部２８は、メッセージ送出先に対して、発信があったことを通知するメッセージの送出を管理する。
【００２４】
以下では、発信元の移動機１０がいるエリアを管轄する基地局を、「発信元側の基地局２０」、発信先の移動機１０がいるエリアを管轄する基地局を、「発信先側の基地局２０」として説明する。また、単に、基地局２０とした場合には、全ての基地局のうち、ある１つの基地局を指すものとする。なお、発信元の移動機１０と発信先の移動機１０とが同じエリア内にいる場合には、双方の基地局２０は同じ基地局であり、異なるエリアにいる場合には、双方の基地局２０は異なる基地局となる。但し、いずれの基地局２０も、図２に示す同じ構成を有する。
【００２５】
次に、本第１実施形態の動作について説明する。
図３は、本第１実施形態において、移動機１０による電話発信時の動作を説明するためのフローチャートである。まず、移動機１０では、待受け状態などにおいて、ユーザにより発信操作があったか否かを判定し（ステップＳ１０）、発信操作がない場合には（ステップＳ１０のＮＯ）、発信操作があるまで待機する。なお、他の操作があった場合や着信があった場合には、対応する処理を実行してもよい。
【００２６】
そして、ユーザが、発信先の電話番号を入力部１６から入力するか、あるいはデータ格納メモリ１８に格納されている電話番号を選択すると、発信操作があったと判定し（ステップＳ１０のＹＥＳ）、ユーザによる発信操作に従って、発信先の電話番号に対する発信を行う（ステップＳ１２）。具体的には、発信元側の基地局２０に対して、発信元電話番号、発信先電話番号を送信して回線確立を要求する。
【００２７】
次に、移動機１０では、通話が可能であるか、すなわち回線が確立したか否かを判定し（ステップＳ１４）、回線が確立せず、通話が可能にならなかった場合には（ステップＳ１４のＮＯ）、通話処理を行うことなく、当該処理を終了する。一方、回線が確立して通話が可能となった場合には（ステップＳ１４のＹＥＳ）、通常の通話に移行し（ステップＳ１６）、通話が終了すると、当該処理を終了する。
【００２８】
図４は、本第１実施形態において、移動機１０の電話発信時における基地局２０の動作を説明するためのフローチャートである。まず、基地局２０では、移動機１０から発信操作（回線確立要求）があったか否かを判定し（ステップＳ２０）、発信操作がない場合には（ステップＳ２０のＮＯ）、発信操作があるまで待機する。そして、移動機１０から発信操作があった場合には（ステップＳ２０のＹＥＳ）、通信管理部２５が、発信元の移動機１０からの発信元電話番号と発信先電話番号とに基づいて、双方の回線を確立する処理を実行する（ステップＳ２２）。そして、発信先電話番号に接続したか否かを判定し（ステップＳ２４）、接続した場合には（ステップＳ２４のＹＥＳ）、発信元の移動機１０と発信先の相手端末との通話処理を行う（ステップＳ２６）。そして、通話が終了すると、当該処理を終了する。
【００２９】
一方、発信先電話番号に接続できなかった場合には（ステップＳ２４のＮＯ）、発信先電話番号に従って、発信先側の基地局２０の発信履歴管理部２６に保存されている発信履歴を検索する（ステップＳ２８）。なお、発信先の移動機１０が発信元の移動機１０と同じエリアにいる場合には、上述したように、発信先側の基地局２０は、発信元側の基地局２０と同一である。次に、発信履歴に発信元電話番号に一致した発信記録があるか否かを判定する（ステップＳ３０）。そして、発信履歴に発信元電話番号に一致した発信記録がない場合には（ステップＳ３０のＮＯ）、発信元側の基地局２０の発信履歴管理部２６に、発信履歴として、発信元電話番号とともに、発信先電話番号を保存する（ステップＳ２６）。この場合、通話には移行せず、発信元側の基地局２０における発信履歴管理部２６の発信履歴に発信記録が残る。そして、当該処理を終了する。
【００３０】
また、発信先側の基地局２０における発信履歴管理部２６の発信履歴に、発信元電話番号に一致した発信記録があった場合には（ステップＳ３０のＹＥＳ）、発信先電話番号の相手も既に発信元に発信したことを意味するので、その発信履歴に記録されている発信先電話番号の移動機に対して、発信元からの発信があったことを通知するメッセージを送出するとともに、発信元電話番号の移動機に対して、発信先電話番号の相手にメッセージを送ったことを知らせるメッセージを送出する（ステップＳ３４）。メッセージを送出した後は、発信元電話番号にマークをして再度メッセージを送出しないようにする（ステップＳ３６）。その後、当該処理を終了する。
【００３１】
図５は、本第１実施形態による、基地局２０と移動機１０ａ、１０ｂ、１０ｃとの間での一連の動作を説明するためのシーケンス図である。また、図６（ａ）、（ｂ）は、本第１実施形態による基地局２０に保存される発信履歴の一例を示す概念図である。なお、前提として、移動機１０ａ、１０ｂ、１０ｃとの間では通話ができない状態とする。また、移動機１０ａの電話番号はＡＡＡ、移動機１０ｂの電話番号はＢＢＢ、移動機１０ｃの電話番号はＣＣＣとする。
【００３２】
また、図５においては、１つの基地局２０しか記していないが、移動機１０ａ、１０ｂ、１０ｃが同一エリア内であれば、移動機１０ａ、移動機１０ｂ、及び移動機１０ｃ側の基地局は、一つの基地局２０であるが、それぞれが異なるエリアにいる場合には、それぞれのエリアを管轄する複数の基地局２０となる。そこで、移動機１０ａがいるエリアを管轄する基地局を、「移動機１０ａ側の基地局２０」、移動機１０ｂがいるエリアを管轄する基地局を、「移動機１０ｂ側の基地局２０」、移動機１０ｃがいるエリアを管轄する基地局を、「移動機１０ｃ側の基地局２０」として説明する。但し、いずれの基地局２０も、図２に示す同じ構成を有する。
【００３３】
まず、移動機１０ｂが移動機１０ａの電話番号ＡＡＡに発信すると（ＳＳ１０）、移動機１０ｂ側の基地局２０は、通話ができない状態のため（回線が確立しないため）、発信元電話番号ＢＢＢの発信履歴として、発信元電話番号ＢＢＢが発信先電話番号ＡＡＡに対して発信したという発信記録を保存する（ＳＳ１２；図６（ａ）参照）。
【００３４】
次に、移動機１０ｃが移動機１０ａの電話番号ＡＡＡに発信する（ＳＳ１４）。ここでも移動機１０ｃ側の基地局２０は、通話ができない状態のため（回線が確立しないため）、発信元電話番号ＣＣＣの発信履歴として、発信元電話番号ＣＣＣが発信先電話番号ＡＡＡに対して発信したという発信記録を保存する（ＳＳ１６；図６（ｂ）参照）。
【００３５】
そして、最後に移動機１０ａが移動機１０ｂの電話番号ＢＢＢに発信する（ＳＳ１８）。ここでも、移動機１０ａ側の基地局２０は、通話できない状態であるので、移動機１０ｂ側の基地局２０における、発信先電話番号ＢＢＢの発信履歴（図６（ａ））を検索する（ＳＳ２０）。この場合、発信先電話番号ＢＢＢの発信履歴には、電話番号ＡＡＡに発信したことが記録されている。そこで、移動機１０ａ側の基地局２０は、電話番号ＡＡＡに電話をした電話番号ＢＢＢの移動機１０ｂに対して、電話番号ＡＡＡの移動機１０ａから発信があったことを通知するメッセージを送信する（ＳＳ２２）。
【００３６】
また、移動機１０ａ側の基地局２０は、電話番号ＡＡＡの移動機１０ａに、電話番号ＢＢＢの移動機１０ｂから電話番号ＡＡＡ宛に発信があったこと、電話番号ＡＡＡの移動機１０ａが発信したことを通知するメッセージを電話番号ＢＢＢの移動機１０ｂに送信したことを通知するメッセージを送信する（ＳＳ２４）。なお、使用するメッセージは、電話回線と比較して災害下でも接続しやすいパケット回線でも、搬送波を用いたもののどちらでも良い。
【００３７】
上述した第１実施形態によれば、移動機１０から電話をかけた際に、発信先から同様に発信元の移動機１０に対して発信されていた場合に、すなわち、双方が相手に発信していた場合に、発信元側の基地局２０から、双方に対して発信があったことを通知するメッセージを送信するようにしたので、災害発生時などの通話ができない場合であっても、安否を確認することができる。
【００３８】
Ｂ．第２実施形態
次に、本発明の第２実施形態について説明する。
本第２実施形態は、移動機１０から電話をかけた際に、発信元の移動機１０に対して複数の相手から同様に発信があった場合に、基地局２０から発信元を含む全ての移動機１０に対して、発信があったことを通知するメッセージを送信するようにしたので、災害発生時などの通話ができない場合であっても、安否を確認することができる。このため、本第２実施形態では、発信元側の基地局２０は、発信を受け付けると、発信先側の基地局２０に、発信先電話番号宛の発信履歴として、発信元電話番号を保存する。なお、移動機１０、基地局２０の構成は、それぞれ図１、図２と同様であるので説明を省略する。また、移動機１０での発信動作も図３と同様であるので説明を省略する。
【００３９】
以下では、上述した第１実施形態と同様に、発信元の移動機１０がいるエリアを管轄する基地局を、「発信元側の基地局２０」、発信先の移動機１０がいるエリアを管轄する基地局を、「発信先側の基地局２０」として説明する。また、単に、基地局２０とした場合には、全ての基地局のうち、ある１つの基地局を指すものとする。なお、発信元の移動機１０と発信先の移動機１０とが同じエリア内にいる場合には、双方の基地局２０は同じ基地局であり、異なるエリアにいる場合には、双方の基地局２０は異なる基地局となる。但し、いずれの基地局２０も、図２に示す同じ構成を有する。
【００４０】
図７は、本第２実施形態において、移動機１０の電話発信時における基地局２０の動作を説明するためのフローチャートである。まず、基地局２０では、移動機１０から発信操作（回線確立要求）があったか否かを判定し（ステップＳ４０）、発信操作がない場合には（ステップＳ４０のＮＯ）、発信操作があるまで待機する。そして、移動機１０から発信操作があった場合には（ステップＳ４０のＹＥＳ）、通信管理部２５が、移動機１０からの発信元電話番号と発信先電話番号とに基づいて、双方の回線を確立する処理を実行する（ステップＳ４２）。そして、発信先電話番号に接続したか否かを判定し（ステップＳ４４）、接続した場合には（ステップＳ４４のＹＥＳ）、発信元の移動機１０と発信先の相手端末との通話処理を行う（ステップＳ４６）。そして、通話が終了すると、当該処理を終了する。
【００４１】
一方、発信先電話番号に接続できなかった場合には（ステップＳ４４のＮＯ）、発信元側の基地局２０の発信履歴管理部２６に保存されている発信元電話番号宛の発信履歴を検索する（ステップＳ４８）。次に、発信してきた相手の電話番号あるか否かを判定する（ステップＳ５０）。そして、発信してきた相手の電話番号がない場合には（ステップＳ５０のＮＯ）、発信先側の基地局２０の発信履歴管理部２６に、発信先電話番号宛の発信履歴として、発信元電話番号を保存する（ステップＳ５２）。なお、発信先の移動機１０が発信元の移動機１０と同じエリアにいる場合には、上述したように、発信先側の基地局２０は、発信元側の基地局２０と同一である。この場合、通話には移行せず、発信先側の基地局２０における発信履歴管理部２６の発信履歴に発信記録が残る。そして、当該処理を終了する。
【００４２】
また、発信元電話番号宛の発信履歴に、発信してきた相手の電話番号があった場合には（ステップＳ５０のＹＥＳ）、発信先の相手も既に発信元に発信したことを意味するので、その発信履歴に記録されている電話をかけてきた電話番号に対して、発信元電話番号からの発信があったことを通知するメッセージを送出するとともに、発信元電話番号に対して、電話をかけてきた相手にメッセージを送ったことを知らせるメッセージを送出する（ステップＳ５４）。
【００４３】
メッセージを送出した後は、相手の電話番号にマークをして再度メッセージを送出しないようにする（ステップＳ５６）。その後、ステップ４８に戻り、発信元電話番号宛の発信履歴にマークをしていない相手の電話番号がなくなるまで、ステップＳ４８〜Ｓ５６を繰り返す。そして、発信履歴から電話をかけてきた電話番号がなくなった場合には（ステップＳ５０のＮＯ）、発信先の基地局２０の発信履歴管理部２６に、発信先電話番号宛の発信履歴として、発信元電話番号を保存する（ステップＳ５２）。そして、当該処理を終了する。
【００４４】
図８は、本第２実施形態による、基地局２０と移動機１０ａ、１０ｂ、１０ｃとの間での一連の動作を説明するためのシーケンス図である。また、図９は、本第２実施形態による基地局２０に保存される発信履歴の一例を示す概念図である。なお、前提として、移動機１０ａ、１０ｂ、１０ｃとの間では通話ができない状態とする。また、移動機１０ａの電話番号はＡＡＡ、移動機１０ｂの電話番号はＢＢＢ、移動機１０ｃの電話番号はＣＣＣとする。
【００４５】
また、図８においては、１つの基地局２０しか記していないが、前述したように、移動機１０ａ、１０ｂ、１０ｃが同一エリア内であれば、移動機１０ａ側の基地局２０、移動機１０ｂ側の基地局２０、及び移動機１０ｃ側の基地局２０は、一つの基地局２０であるが、それぞれが異なるエリアにいる場合には、それぞれのエリアを管轄する複数の基地局２０となる。そこで、移動機１０ａがいるエリアを管轄する基地局を、「移動機１０ａ側の基地局２０」、移動機１０ｂがいるエリアを管轄する基地局を、「移動機１０ｂ側の基地局２０」、移動機１０ｃがいるエリアを管轄する基地局を、「移動機１０ｃ側の基地局２０」として説明する。但し、いずれの基地局２０も、図２に示す同じ構成を有する。
【００４６】
まず、移動機１０ｂが移動機１０ａの電話番号ＡＡＡに発信すると（ＳＳ３０）、移動機１０ｂ側の基地局２０は、通話ができない状態のため（回線が確立しないため）、移動機１０ａ側の基地局２０に、発信先電話番号ＡＡＡ宛の発信履歴として、発信元電話番号ＢＢＢが発信先電話番号ＡＡＡに対して発信したという発信記録を保存する（ＳＳ３２；図９参照）。
【００４７】
次に、移動機１０ｃが移動機１０ａの電話番号ＡＡＡに発信する（ＳＳ３４）。ここでも移動機１０ｃ側の基地局２０は、通話ができない状態のため（回線が確立しないため）、移動機１０ａ側の基地局２０に、発信先電話番号ＡＡＡ宛の発信履歴として、発信元電話番号ＣＣＣが発信先電話番号ＡＡＡに対して発信したという発信記録を保存する（ＳＳ３６；図９参照）。
【００４８】
そして、最後に移動機１０ａが移動機１０ｂの電話番号ＢＢＢに発信する（ＳＳ３８）。ここでも、移動機１０ａ側の基地局２０は、通話できない状態であるので、自局の発信履歴管理部２６に保存されている、移動機１０ａの電話番号ＡＡＡ宛の発信履歴（図９）を検索する（ＳＳ４０）。この場合、移動機１０ａの電話番号ＡＡＡ宛の発信履歴には、電話番号ＢＢＢ、ＣＣＣが電話番号ＡＡＡに対して発信したことが記録されている。そこで、移動機１０ａ側の基地局２０は、電話番号ＡＡＡに電話をした移動機１０ｂの電話番号ＢＢＢ、移動機１０ｃの電話番号ＣＣＣに対して、電話番号ＡＡＡの移動機１０ａから発信があったことを通知するメッセージを送信する（ＳＳ４２）。
【００４９】
また、移動機１０ａ側の基地局２０は、電話番号ＡＡＡの移動機１０ａには、電話番号ＢＢＢの移動機１０ｂ、及び電話番号ＣＣＣの移動機１０ｃから電話番号ＡＡＡ宛に発信があったこと、及び自身の電話番号ＡＡＡの移動機１０ａが発信したことを通知するメッセージを、移動機１０ｂの電話番号ＢＢＢ、移動機１０ｃの電話番号ＣＣＣに対して送信したことを通知するメッセージを送信する（ＳＳ４４）。なお、使用するメッセージは、電話回線と比較して災害下でも接続しやすいパケット回線でも、搬送波を用いたもののどちらでも良い。
【００５０】
上述した第２実施形態によれば、移動機１０から電話をかけた際に、発信元の移動機１０に対して複数の相手から同様に発信されていた場合に、発信元側の基地局２０から発信元の移動機１０を含む全ての相手に対して、発信があったことを通知するメッセージを送信するようにしたので、災害発生時などの通話ができない場合に、被災者が全ての相手にいちいち発信しなくても、発信してきた全ての相手が安否を確認することができる。
【００５１】
なお、上述した第１、第２実施形態において、発信履歴が一致したときに基地局２０から送出するメッセージにそれぞれの移動機１０の位置情報を含め、より詳しい情報を通知するようにしてもよい。また、発信履歴を残す端末としては、移動機１０だけでなく、識別が可能であれば固定電話でも構わない。
【００５２】
また、上述した第２実施形態では、移動機１０から電話をかけた際に、発信元の移動機１０に対して複数の相手から同様に発信があった場合に、基地局２０から発信元の移動機１０を含む全ての相手に対して、発信があったことを通知するメッセージを送信するようにしたが、これに限らず、発信があった相手のうち、あらかじめ登録した相手（家族、親せきなど）に対してメッセージを送信するようにしてもよい。これにより、安否確認とは関係のない相手に対してメッセージを送らなくても済む。
【００５３】
また、上述した第２実施形態では、移動機１０から電話をかける際に、相手の電話番号（発信先電話番号）を入力しているが、全ての相手に対してメッセージを送信するため、発信先電話番号を用いる必要がない。したがって、第２実施形態では、発信時に入力する相手の電話番号として、災害時に用いる特定の電話番号を入力（選択）するようにしてもよい。
【００５４】
また、上述した第１実施形態では、互いに発信していた相手に対して、発信があったことを通知するメッセージを送信し、上述した第２実施形態では、発信があった全ての相手に対して、発信があったことを通知するメッセージを送信するようにしたが、移動機１０で、どちらの動作を実行するかを設定可能としてもよい。
【００５５】
なお、本発明の実施形態では、移動機１０として携帯電話に適用した例であるが、本発明はこれに限定されるものではなく、通信可能な携帯情報端末、パーソナルコンピュータ、通信機、その他の電子機器等にも幅広く適用できる。
【００５６】
以下、本発明の特徴を付記する。
上記の実施形態の一部又は全部は、以下の付記のようにも記載されうるが、以下には限られない。
（付記１）
図１０は、付記１の構成図である。なお、図１０と図２との対応について説明する。図１０に示す受付手段３１は、図２の受信部２３、通話管理部２５に相当し、図１０の検索手段３２及び発信履歴３３は、図２の発信履歴管理部２６に相当する。また、図１０の通知手段３４は、図２のメッセージ管理部２８に相当する。
【００５７】
この図に示すように、付記１記載の発明は、
移動機からの発信を受け付ける受付手段３１と、
電話回線規制時に、前記受付手段３１により前記移動機からの発信を受け付けると、前記移動機に関連する発信履歴３３を検索する検索手段３２と、
前記検索手段３２により前記移動機に関連する発信履歴３３に、前記移動機に対する発信記録が検出された場合に、前記移動機、及び前記移動機に対して発信した他の移動機に対して、発信があったことを通知する通知手段３４と
を備えることを特徴とする基地局３０である。
【００５８】
（付記２）
前記検索手段は、前記受付手段により前記移動機からの発信を受け付けると、前記移動機に関連する発信履歴として、発信先の移動機の発信履歴を検索し、前記通知手段は、前記検索手段により前記発信先の移動機の発信履歴に、前記移動機に対する発信記録が検出された場合に、前記移動機、及び前記発信先の移動機の双方に、発信があったことを通知することを特徴とする付記１に記載の基地局である。
【００５９】
（付記３）
前記検索手段は、前記受付手段により前記移動機からの発信を受け付けると、前記移動機に関連する発信履歴として、前記移動機に対する発信履歴を検索し、前記通知手段は、前記検索手段により前記移動機に対する発信履歴に、前記移動機に対する発信記録が検出された場合に、前記移動機、及び前記移動機に対して発信した全ての移動機に対して、発信があったことを通知することを特徴とする付記１に記載の基地局である。
【００６０】
（付記４）
前記検索手段により前記移動機に関連する発信履歴に、前記移動機に対する発信記録が検出されなかった場合に、前記移動機から発信先の移動機に対して発信があったことを、前記移動機に関連する発信履歴として保存する発信履歴保存手段を更に備えることを特徴とする付記１に記載の基地局である。
【００６１】
（付記５）
前記通知手段は、発信があったことを通知する前記移動機に対して、相手の移動機の位置情報を含めて通知することを特徴とする付記１から４のいずれかに記載の基地局である。
【００６２】
（付記６）
移動機からの発信を受け付けるステップと、電話回線規制時に、前記移動機からの発信を受け付けると、前記移動機に関連する発信履歴を検索するステップと、前記移動機に関連する発信履歴に、前記移動機に対する発信記録が検出された場合に、前記移動機、及び前記移動機に対して発信した他の移動機に対して発信があったことを通知するステップとを含むことを特徴とする安否確認方法である。
【００６３】
（付記７）
コンピュータに、移動機からの発信を受け付ける受付機能、電話回線規制時に、前記受付機能により前記移動機からの発信を受け付けると、前記移動機に関連する発信履歴を検索する検索機能、前記検索機能により前記移動機に関連する発信履歴に、前記移動機に対する発信記録が検出された場合に、前記移動機、及び前記移動機に対して発信した他の移動機に対して、発信があったことを通知する通知機能を実行させることを特徴とするプログラムである。
【符号の説明】
【００６４】
１０、１０ａ、１０ｂ、１０ｃ  移動機
１１  アンテナ
１２  送信部
１３  受信部
１４  ＣＰＵ
１５  表示部
１６  入力部
１７  プログラム格納メモリ
１８  データ格納メモリ
２０  基地局
２３  受信部
２４  送信部
２５  通話管理部
２６  発信履歴管理部
２７  契約ユーザ管理部
２８  メッセージ管理部
【図１】
2013247499.tif 000003
【図２】
2013247499.tif 000004
【図３】
2013247499.tif 000005
【図４】
2013247499.tif 000006
【図５】
2013247499.tif 000007
【図６】
2013247499.tif 000008
【図７】
2013247499.tif 000009
【図８】
2013247499.tif 000010
【図９】
2013247499.tif 000011
【図１０】
2013247499.tif 000012